(57)【要約】【課題】容易に解体して再利用することのできる床パネル及び床構造を提供する。【解決手段】床パネル３１は、床基材３２と粘着層３４とを備える。粘着層３４は、デッキプレート２１に粘着される粘着面３４ａを有する。床構造１１は、デッキプレート２１における凸部２１ａに粘着面３４ａが粘着されることで床パネル３１がデッキプレート２１上に配置された構造を有する。【選択図】図１
2018035571.tif 000002
【特許請求の範囲】
【請求項１】
基台に配置される床パネルであって、
床基材と、前記基台に粘着される粘着面を有する粘着層と、を備える床パネル。
【請求項２】
前記床基材に取り付けられた脚部材をさらに備え、前記粘着層は前記脚部材に取り付けられている請求項１に記載の床パネル。
【請求項３】
前記床基材の形状は、平面視で四辺形であり、
前記床基材の四辺のうち少なくとも一辺に隣り合う位置に配置された前記粘着層は、前記一辺に向けて前記粘着面が小さくなる形状を有している請求項１又は請求項２に記載の床パネル。
【請求項４】
前記粘着層は、平面視で幅広部分と幅狭部分とが連なる長手方向を有し、前記一辺に対して前記幅狭部分が向かい合って配置されている請求項３に記載の床パネル。
【請求項５】
前記粘着層は、自己粘着性を有する発泡体により構成される請求項１から請求項４のいずれか一項に記載の床パネル。
【請求項６】
請求項１から請求項５のいずれか一項に記載の床パネルと、前記基台を備える床構造であって、
前記基台は、上面に凸部を有する金属製のデッキプレートであり、
前記デッキプレートにおける前記凸部に前記粘着面が粘着されることで前記床パネルが前記デッキプレート上に配置された構造を有する床構造。
【請求項７】
前記デッキプレートにおける前記凸部、及び前記床基材は、それぞれ長手方向を有し、
前記凸部の長手方向と前記床基材の長手方向とが交わるように前記床パネルが前記デッキプレート上に配置された構造を有する請求項６に記載の床構造。
【発明の詳細な説明】
【技術分野】
【０００１】
本発明は、床パネル及びこの床パネルを備えた床構造に関する。
【背景技術】
【０００２】
従来、床仕上げ下地材がタッピングビス等の固定手段によりデッキプレートに固定された床構造が知られている（特許文献１）。
【先行技術文献】
【特許文献】
【０００３】
【特許文献１】特開平１１−３５０６４４号公報
【発明の概要】
【発明が解決しようとする課題】
【０００４】
ところで、廃棄物の削減や資源の再利用といった環境保護及び資源の有効利用の観点から、建築物を容易に解体でき、建築物の解体により発生した部材を新たな建築物の部材として再利用することが望ましい。しかしながら、上記従来の床構造では、床仕上げ下地材といった床基材を再利用可能な状態を維持しながらデッキプレート等の基台から取り外す作業が繁雑であり、こうした作業性が、床構造を構成する部材の再利用を妨げる一因となっていた。
【０００５】
本発明は、こうした実情に鑑みてなされたものであり、その目的は、容易に解体して再利用することのできる床パネル及び床構造を提供することにある。
【課題を解決するための手段】
【０００６】
上記課題を解決する床パネルは、基台に配置される床パネルであって、床基材と、前記基台に粘着される粘着面を有する粘着層と、を備える。
この構成によれば、粘着層の粘着面を基台から引き剥がす作業により、床パネルを再利用可能な状態を維持しながら容易に基台から取り外すことができる。
【０００７】
上記床パネルにおいて、前記床基材に取り付けられた脚部材をさらに備え、前記粘着層は前記脚部材に取り付けられていることが好ましい。
この構成によれば、脚部材によって、例えば、緩衝機能又は不陸調整機能を発揮させることが可能となる。
【０００８】
上記床パネルにおいて、前記床基材の形状は、平面視で四辺形であり、前記床基材の四辺のうち少なくとも一辺に隣り合う位置に配置された前記粘着層は、前記一辺に向けて前記粘着面が小さくなる形状を有していることが好ましい。
【０００９】
ここで、床パネルのいずれか一辺を持ち上げるようにして床パネルを基台から取り外す作業を開始する際、その一辺に隣り合う位置に配置された粘着層は、その一辺に近い部分から順に基台から剥離される。このように粘着層の剥離が開始される部分の粘着力が強いと、床パネルを基台から取り外す作業を開始する際に作業者への負荷が増大したり、床パネルに過剰な力が加わったりするおそれがある。上記構成によれば、粘着層の粘着力は、前記一辺に向かって弱くなる。このため、基台から粘着面の剥離を開始する際の抵抗力を低減することができる。従って、床パネルを基台から取り外す作業の際に、作業者への負荷を低減したり、床パネルに過剰な力が加わることを抑制したりすることができる。すなわち、床構造を好適に解体することができる。
【００１０】
上記床パネルにおいて、前記粘着層は、平面視で幅広部分と幅狭部分とが連なる長手方向を有し、前記一辺に対して前記幅狭部分が向かい合って配置されていることが好ましい。
【００１１】
例えば、上記のような粘着層の構成により、床パネルを備えた床構造を好適に解体することができる。
上記床パネルにおいて、前記粘着層は、自己粘着性を有する発泡体により構成されることが好ましい。
【００１２】
この構成によれば、床パネルを基台上に配置した際に、粘着層が圧縮変形し易くなる。このため、例えば、基台の上面の面粗度が比較的高い場合であっても、その上面に対する粘着層の密着性を確保することができる。これにより、床パネルを基台上に安定して固定することが可能となる。
【００１３】
上記課題を解決する床構造は、上記床パネルと、前記基台を備える床構造であって、前記基台は、上面に凸部を有する金属製のデッキプレートであり、前記デッキプレートにおける前記凸部に前記粘着面が粘着されることで前記床パネルが前記デッキプレート上に配置された構造を有する。
【００１４】
例えば、上記のように床パネルとデッキプレートとを用いて床構造を形成することができる。
上記床構造は、前記デッキプレートにおける前記凸部、及び前記床基材は、それぞれ長手方向を有し、前記凸部の長手方向と前記床基材の長手方向とが交わるように前記床パネルが前記デッキプレート上に配置された構造を有することが好ましい。
【００１５】
この構成によれば、床パネルがデッキプレート上に比較的安定して支持され易くなる。
【発明の効果】
【００１６】
本発明によれば、容易に解体して再利用することができる。
【図面の簡単な説明】
【００１７】
【図１】（ａ）は、実施形態の床構造を示す斜視図であり、（ｂ）は、（ａ）の１ｂ−１ｂ線に沿った部分断面図である。
【図２】床構造の一部を解体した状態を示す斜視図である。
【図３】床構造の変更例を示す斜視図である。
【図４】（ａ）及び（ｂ）は、床パネルの変更例を示す部分下面図である。
【図５】床構造の変更例を示す斜視図である。
【発明を実施するための形態】
【００１８】
以下、床パネルを備えた床構造の実施形態について図面を参照して説明する。
図１（ａ）に示すように、本実施形態の床構造１１は、基台としての金属製のデッキプレート２１と、デッキプレート２１上に配置された床パネル３１とを備えている。
【００１９】
デッキプレート２１は、上下面のそれぞれに凹凸を有している。デッキプレート２１の上面の有する凸部２１ａは、長手方向Ｌ１を有している。デッキプレート２１としては、例えば、ＪＩＳ  Ｇ３３５２に規定されるものが用いられる。デッキプレート２１は、一体に成形されたものであってもよいし、複数の構成部材を連結して形成されたものであってもよい。
【００２０】
図１（ａ）及び図１（ｂ）に示すように、床パネル３１は、デッキプレート２１の上面の有する凸部２１ａ上に配置されている。床パネル３１は、床基材３２と、床基材３２に取り付けられる脚部材３３と、脚部材３３に取り付けられる粘着層３４とを備えている。
【００２１】
床基材３２の形状は、平面視で四辺形であり、より具体的には、長手方向Ｌ２を有する長方形状である。床基材３２は、例えば、パーチクルボード等の木質系材料から構成されている。床基材３２は、図示を省略した床仕上げ材の支持体として配置されている。床仕上げ材としては、例えば、フローリング、コルク板、タイル、畳、カーペット、樹脂シート材及びゴムシート材が挙げられる。
【００２２】
図２に示すように、脚部材３３は、床基材３２の下面に複数取り付けられている。脚部材３３は、床基材３２の短辺３２ｂ（短手方向Ｓ２）に沿った長手方向Ｌ３を有している。脚部材３３は、緩衝機能又は不陸調整機能を有することが好ましい。脚部材３３の材料としては、例えば、チップ状のウレタンフォームをバインダーで結合した材料や、繊維系材料等が挙げられる。脚部材３３は、例えば、接着剤により床基材３２に固定されている。脚部材３３は、単層構造であってもよいし、複数の層が接合された多層構造であってもよい。
【００２３】
粘着層３４は、デッキプレート２１の凸部２１ａに粘着される粘着面３４ａを有している。粘着層３４は、発泡体であってもよいし、非発泡体であってもよい。粘着層３４は、自己粘着性を有する発泡体により構成されることが好ましい。本実施形態の粘着層３４は、自己粘着性を有するアクリルフォーム（アクリル樹脂製発泡体）から構成されている。粘着層３４の粘着面３４ａは、デッキプレート２１から床パネル３１を取り外す際にデッキプレート２１から剥離される界面となる。詳述すると、デッキプレート２１に対する粘着面３４ａの粘着力は、例えば、粘着層３４の脚部材３３に対する接合力等、床パネル３１の層間の強度よりも弱くなるように構成されている。粘着層３４は、自己粘着性により脚部材３３に取り付けてもよいし、接着剤により脚部材３３に取り付けることで、粘着層３４と脚部材３３との接合力を高めてもよい。粘着層３４は、平面視で脚部材３３よりも小さい外形を有していることが好ましい。
【００２４】
本実施形態の粘着層３４は、複数の脚部材３３のそれぞれに取り付けられる複数から構成されている。複数の粘着層３４は、床基材３２の一方の長辺３２ａに沿って隣り合う列と、他方の長辺３２ａに沿って隣り合う列とを構成している。一方の長辺３２ａに隣り合って配列された複数の粘着層３４は、その一方の長辺３２ａに向けて粘着面３４ａが小さくなる形状を有している。また、他方の長辺３２ａに隣り合って配列された複数の粘着層３４は、他方の長辺３２ａに向けて粘着面３４ａが小さくなる形状を有している。
【００２５】
詳述すると、本実施形態の粘着層３４は、平面視で幅広部分３４ｂと幅狭部分３４ｃとが連なる長手方向Ｌ４を有している。なお、粘着層３４の幅寸法は、その粘着層３４に隣り合う長辺３２ａに沿った粘着層３４の寸法をいう。粘着層３４は、この粘着層３４と隣り合う長辺３２ａに対して幅狭部分３４ｃが向かい合って配置されている。粘着層３４の幅狭部分３４ｃは、長辺３２ａに近づくにつれて幅が狭くなる形状を有している。すなわち、粘着層３４の幅狭部分３４ｃは、この粘着層３４と隣り合う長辺３２ａに対して傾斜する端縁を有している。幅狭部分３４ｃにおいて傾斜する端縁の角度は、粘着層３４と隣り合う長辺３２ａに対して、例えば、１０°以上、８０°以下の範囲内であることが好ましい。
【００２６】
次に、床パネル３１を備えた床構造１１の主な作用について説明する。
図１（ａ）及び図１（ｂ）に示すように、床構造１１は、デッキプレート２１上に複数の床パネル３１を配置することで組み立てられる。このとき、デッキプレート２１の凸部２１ａ上に床パネル３１の脚部材３３が位置するように床パネル３１を配置する。また、デッキプレート２１の凸部２１ａの長手方向Ｌ１に対して床基材３２の長手方向Ｌ２が直交するように床パネル３１を配置する。こうした床構造１１の組み立ての際には、デッキプレート２１の凸部２１ａに床パネル３１の粘着層３４を粘着させることにより、床パネル３１の位置ずれを抑制しながら、複数の床パネル３１を順次配置することができる。なお、デッキプレート２１上に配置する前の床パネル３１では、離型シート材を粘着面３４ａに設けることで粘着面３４ａを保護してもよい。床構造１１は、使用期間が限られた建築物の床構造として好適に用いることができる。
【００２７】
ここで、床構造１１を解体する際には、図２に示すように、床パネル３１のいずれか一方の長辺３２ａを持ち上げるようにしてデッキプレート２１上から複数の床パネル３１を順次取り外す。このとき、床パネル３１は、粘着層３４の粘着面３４ａによりデッキプレート２１に粘着されている。このため、粘着面３４ａをデッキプレート２１から引き剥がす作業により、床パネル３１を再利用可能な状態を維持しながら容易にデッキプレート２１から取り外すことができる。例えば、床パネル３１をデッキプレート２１から取り外す際に、複数のビスを緩める作業等の煩雑な作業を回避したり、ビスの外し忘れによる床パネル３１の破損を回避したりすることが可能となる。
【００２８】
上記のように床構造１１の解体により発生した床パネル３１は、新たに組み立てられる床構造用の床パネルとして再利用することができる。なお、床パネル３１は、上記床構造１１とは異なる床構造に再利用してもよい。この場合、床パネル３１の脚部材３３又は粘着層３４を取り外してもよいし、床基材３２に別の部材を取り付けてもよい。デッキプレート２１についても床パネル３１と同様に再利用することが可能である。
【００２９】
上述した実施形態によって発揮される作用効果について以下に記載する。
（１）床パネルは、床基材３２と、デッキプレート２１に粘着される粘着面３４ａを有する粘着層３４とを備えている。この構成によれば、粘着層３４の粘着面３４ａをデッキプレート２１から引き剥がす作業により、床パネル３１を再利用可能な状態を維持しながら容易にデッキプレート２１から取り外すことができる。従って、床パネル３１を備えた床構造１１を容易に解体して床パネル３１を再利用することができる。
【００３０】
（２）床パネル３１は、床基材３２に取り付けられた脚部材３３をさらに備え、粘着層３４は、脚部材３３に取り付けられている。この場合、脚部材３３によって、例えば、緩衝機能又は不陸調整機能を発揮させることが可能となる。従って、床パネル３１を備えた床構造１１の使用状態を良好にすることができる。
【００３１】
（３）床パネル３１の一方の長辺３２ａを持ち上げるようにして床パネル３１をデッキプレート２１から取り外す作業を開始する際、その長辺３２ａに隣り合う位置に配置された粘着層３４は、その長辺３２ａに近い部分から順にデッキプレート２１から剥離される。このように粘着層３４の剥離が開始される部分の粘着力が強いと、床パネル３１をデッキプレート２１から取り外す作業を開始する際に作業者への負荷が増大したり、床パネル３１に過剰な力が加わったりするおそれがある。
【００３２】
本実施形態の床パネル３１において、床基材３２の四辺のうち少なくとも一辺（少なくとも一方の長辺３２ａ）に隣り合う位置に配置された粘着層３４は、その一辺（長辺３２ａ）に向けて粘着面３４ａが小さくなる形状を有している。この場合、粘着層３４の粘着力は、前記一辺（長辺３２ａ）に向かって弱くなる。このため、デッキプレート２１から粘着面３４ａの剥離を開始する際の抵抗力を低減することができる。従って、床パネル３１をデッキプレート２１から取り外す作業の際に、作業者への負荷を低減したり、床パネル３１に過剰な力が加わることを抑制したりすることができる。すなわち、床構造１１を好適に解体することができる。
【００３３】
また、本実施形態の床パネル３１は、床基材３２の一方の長辺３２ａに隣り合う粘着層３４と、他方の長辺３２ａに隣り合う粘着層３４とを備え、これら粘着層３４，３４は、それぞれ隣り合う長辺３２ａに向けて粘着面３４ａが小さくなる形状を有している。この場合、床パネル３１をデッキプレート２１から取り外す作業において、床パネル３１をいずれの長辺３２ａ側から取り外す場合であっても、上述したように床構造１１を好適に解体することができる。
【００３４】
（４）床パネル３１の粘着層３４は、平面視で幅広部分３４ｂと幅狭部分３４ｃとが連なる長手方向Ｌ４を有している。また、粘着層３４は、床基材３２の四辺のうち少なくとも一辺（少なくとも一方の長辺３２ａ）に対して幅狭部分３４ｃが向かい合って配置されている。例えば、このような粘着層３４の構成により、上記（２）で述べた作用効果を得ることができる。
【００３５】
（５）床パネル３１の粘着層３４は、自己粘着性を有する発泡体により構成されることが好ましい。この場合、床パネル３１をデッキプレート２１上に配置した際に、粘着層３４が圧縮変形し易くなる。このため、例えば、デッキプレート２１の凸部２１ａの面粗度が比較的高い場合であっても、その凸部２１ａに対する粘着層３４の密着性を確保することができる。これにより、床パネル３１をデッキプレート２１上に安定して固定することが可能となる。
【００３６】
（６）床構造１１は、デッキプレート２１における凸部２１ａの長手方向Ｌ１と、床基材３２の長手方向Ｌ２とが交わるように床パネル３１がデッキプレート２１上に配置された構造を有している。この場合、床パネル３１がデッキプレート２１上に比較的安定して支持され易くなる。例えば、本実施形態のように一枚の床パネル３１を３つ以上の凸部２１ａにより安定して支持することができる。
【００３７】
（変更例）
上記実施形態を次のように変更して構成してもよい。
・床パネル３１は、脚部材３３を備えているが、脚部材３３を省略し、床基材３２に粘着層３４を取り付けてもよい。この場合であっても、上記（１）で述べた作用効果を得ることができる。
【００３８】
・図３に示すように、デッキプレート２１における凸部２１ａの長手方向Ｌ１に対して、床基材３２の長手方向Ｌ２が沿うように、床基材３２をデッキプレート２１上に配置してもよい。
【００３９】
・デッキプレート２１の凸部２１ａの形状は、正方形や円形等の長手方向Ｌ１を有しない形状に変更することもできる。
・床パネル３１は、デッキプレート２１以外の基台に配置して用いることもできる。デッキプレート２１以外の基台としては、例えば、金属製の梁部材から形成した枠構造を有する基台やコンクリート製の基台が挙げられる。
【００４０】
・床基材３２の形状は、正方形等の長手方向Ｌ２を有しない形状に変更することもできる。また、床基材３２の長手方向Ｌ２を有する形状は、三角形状や六角形状等であってもよい。
【００４１】
・脚部材３３の形状は、正方形や円形等の長手方向Ｌ３を有しない形状に変更することもできる。また、脚部材３３の長手方向Ｌ３を有する形状は、三角形状、六角形状、楕円形状等であってもよい。
【００４２】
・床パネル３１の下面に取り付ける脚部材３３の数は、複数に限定されず、単数であってもよい。
・床パネル３１は、床基材３２の短辺３２ｂ，３２ｂのうち、一方の短辺３２ｂを持ち上げるようにしてデッキプレート２１から取り外してもよい。例えば、図３に示す床パネル３１では、床基材３２の短辺３２ｂと隣り合う粘着層３４は、その短辺３２ｂに向けて粘着面３４ａが小さくなる形状を有している。詳述すると、粘着層３４は、幅広部分３４ｂと幅狭部分３４ｃとが連なる長手方向Ｌ４を有し、粘着層３４と隣り合う短辺３２ｂに対して幅狭部分３４ｃが向かい合って配置されている。こうした床パネル３１の場合、一方の短辺３２ｂを持ち上げるようにしてデッキプレート２１から取り外す際に、上記（３）で述べた作用効果を得ることができる。
【００４３】
・図４（ａ）に示すように、床基材３２の一辺に近づくにつれて幅が狭くなる三角形状の幅狭部分３４ｃを有した形状の粘着層３４に変更してもよい。また、図４（ｂ）に示すように、床基材３２の一辺に向かう凸形状の幅狭部分３４ｃを有した形成の粘着層３４に変更してもよい。さらに、図示を省略するが、全体又は一部が円形状の粘着層や幅狭部分３４ｃを櫛歯状に形成した粘着層であってもよい。この場合であっても、上記（３）で述べた作用効果を得ることができる。
【００４４】
・粘着層３４の形状は、床基材３２の一辺（長辺３２ａ）に向けて粘着面３４ａが小さくなる形状を有しているが、こうした形状に限定されない。すなわち、粘着層３４の形状は、床基材３２の一辺に沿った幅寸法が一定の形状であってもよいし、前記一辺に向けて粘着面３４ａが大きくなる形状であってもよい。
【００４５】
・床パネル３１は、複数の粘着層３４のいずれも、床基材３２の一辺のみに向けて粘着面３４ａが小さくなる形状となるように配置することもできる。
・床パネル３１は、デッキプレート２１における凸部２１ａの長手方向Ｌ１に対して、脚部材３３の長手方向Ｌ３が沿うようにデッキプレート２１上に配置されている。例えば、図５に示すように、凸部２１ａにおける長手方向Ｌ１に対して脚部材３３の長手方向Ｌ３が交差（直交）するように配置されてもよい。
【符号の説明】
【００４６】
１１…床構造、２１…デッキプレート、２１ａ…凸部、３１…床パネル、３２…床基材、３２ａ…長辺、３２ｂ…短辺、３３…脚部材、３４…粘着層、３４ａ…粘着面、３４ｂ…幅広部分、３４ｃ…幅狭部分、Ｌ１…長手方向（凸部）、Ｌ２…長手方向（床基材）、Ｌ３…長手方向（脚部材）、Ｌ４…長手方向（粘着層）、Ｓ２…短手方向（床基材）。
【図１】
2018035571.tif 000003
【図２】
2018035571.tif 000004
【図３】
2018035571.tif 000005
【図４】
2018035571.tif 000006
【図５】
2018035571.tif 000007